(57)【要約】【課題】用紙が用紙搬送経路途中に位置している状態では、給紙トレイを取り出せないようにし、用紙が待機ポジションに位置している状態でのみ用紙を取り出せるようにすることで、給紙トレイの不慮の取出しに伴う紙詰まり等の用紙搬送不良の発生を防止する。【解決手段】本発明の給紙トレイの取出しロック装置４９は引出式の給紙トレイ５を備える記録装置において、用紙Ｐが用紙搬送経路途中に位置していることを用紙Ｐの搬送サイクルと相関関係を持つシフト手段または用紙Ｐの搬送位置を直接検知する検知手段に基づいて把握し、用紙Ｐが用紙搬送経路途中に位置している状態では、給紙トレイ５の取出しスイッチ５５を機械的にまたは電気的に動作させないようにした。【選択図】　　　　図６
2004091087.tif 000002
【特許請求の範囲】
【請求項１】
引出式の用紙トレイを備える記録装置において、用紙が用紙搬送経路途中に位置していることを用紙の搬送サイクルと相関関係を持つシフト手段または用紙の搬送位置を直接検知する検知手段に基づいて把握し、用紙が用紙搬送経路途中に位置している状態では、用紙トレイの取出しスイッチを機械的にまたは電気的に動作させないようにしたことを特徴とする用紙トレイの取出しロック装置。
【請求項２】
請求項１において、前記シフト手段は用紙が搬送される１サイクルに対応して所定の角度回転する、各部の駆動を司るカム軸であり、該カム軸には用紙が待機ポジションに位置している状態でのみ用紙トレイの取出しスイッチを押せるように取出しボタンのプッシュロッドの通過を許容する貫通部を有するロック板が設けられていることを特徴とする用紙トレイの取出しロック装置。
【請求項３】
請求項１において、前記シフト手段は用紙が搬送される１サイクルに対応して所定の角度回転する、各部の駆動を司るカム軸であり、該カム軸にはカム軸の回転角度を検知し、用紙が待機ポジションに位置している状態でのみ用紙トレイの取出しスイッチを作動させるロータリーエンコーダが設けられていることを特徴とする用紙トレイの取出しロック装置。
【請求項４】
請求項１において、前記検知手段は用紙搬送経路の入口と出口に設けられる用紙の通過を検知する位置センサであり、用紙搬送経路の入口に位置する位置センサによって用紙の通過を確認後、用紙搬送経路の出口に位置する位置センサが用紙の通過を確認した場合にのみ用紙トレイの取出しスイッチを作動させるようにしたことを特徴とする用紙トレイの取出しロック装置。
【請求項５】
請求項１〜４のいずれか１項において、前記記録装置は前面に給紙トレイ及び排紙トレイの取出し口を有し、用紙搬送経路をＵ字を横に倒したような反転ループ状に形成した、テレビラック等に収納して使用する、デッキタイプのインクジェット式記録装置であることを特徴とする用紙トレイの取出しロック装置。
【請求項６】
請求項１〜５のいずれか１項に記載された用紙トレイの取出しロック装置を備えて成る記録装置。
【発明の詳細な説明】
【０００１】
【発明の属する技術分野】
本発明は、引出式の用紙トレイ（給紙トレイ及び／又は排紙トレイ）を備えるインクジェット式プリンタなどの記録装置に適用できる用紙トレイの取出しロック装置およびそれを備えた記録装置に関する。
【０００２】
【従来の技術】
記録装置の一つであるインクジェット式記録装置には、使用形態を異にする種々のユーザに対応するため型式、構造、デザイン等が相違する各種の製品がラインナップされている。この中にはテレビラック等に収納して使用する、いわゆるデッキタイプの角箱状のケーシングを備えたインクジェット式プリンタがある。この種のインクジェット式プリンタは、テレビラック等の限られたスペースに収納して使用する関係上、ビデオデッキ等と同様、幅寸法や高さ、奥行きに制限がある。
【０００３】
また当然、前面から給紙トレイ及び排紙トレイに対する用紙補給を行うこととなるため、プリンタの前面には引出式あるいはカセット式の給紙トレイや排紙トレイの取出し口が設けられている。そして、このようなインクジェット式プリンタに用紙をセットする場合には、プリンタ前面に設けられる取出しボタンを押して、給紙トレイを手前に少し突出させ、後は給紙トレイを手で持って引き出すようにしている。
【０００４】
【発明が解決しようとする課題】
しかし、従来のインクジェット式プリンタでは、該プリンタが給紙動作中であるときや印刷動作中の状態にあり、用紙搬送経路途中に先行する用紙が位置している場合であっても給紙トレイを引き出すことが構造的には可能であった。このように先行する用紙が用紙搬送経路途中に位置している状態で給紙トレイを引き出すと、当然に紙詰まり等が生じ、ひいてはインクジェット式プリンタの故障につながる。
【０００５】
本発明の目的は、用紙が用紙搬送経路途中に位置している状態では、用紙トレイを取り出せないようにし、用紙が待機ポジションに位置している状態でのみ用紙を取り出せる用紙トレイの取出しロック装置を提供することであり、このような用紙トレイの取出しロック装置の提供を通じて用紙トレイの不慮の取出しに伴う紙詰まり等の用紙搬送不良の発生を防止することにある。
【０００６】
【課題を解決するための手段】
上記課題を解決するために本発明の第１の態様に係る用紙トレイの取出しロック装置は、引出式の用紙トレイを備える記録装置において、用紙が用紙搬送経路途中に位置していることを用紙の搬送サイクルと相関関係を持つシフト手段または用紙の搬送位置を直接検知する検知手段に基づいて把握し、用紙が用紙搬送経路途中に位置している状態では、用紙トレイの取出しスイッチを機械的にまたは電気的に動作させないようにしたことを特徴とする。
【０００７】
本発明によれば、先行する用紙が用紙搬送経路途中に位置しているか、待機ポジションに位置しているかを用紙の搬送サイクルと相関関係を持つシフト手段を介して間接的に、あるいは検知手段によって直接的に、用紙の搬送位置を確認することによって用紙トレイの取出し動作をロックしたり、そのロックを解除したりすることができる。従って、これに起因する紙詰まり等の発生を防止し、紙詰まり等を繰り返すことによって生ずる記録装置の故障を回避できる。
【０００８】
また、本発明の第２の態様に係る用紙トレイの取出しロック装置は、前記シフト手段は、用紙が搬送される１サイクルに対応して所定の角度回転する、各部の駆動を司るカム軸であり、該カム軸には用紙が待機ポジションに位置している状態でのみ給紙トレイの取出しスイッチを押せるように取出しボタンのプッシュロッドの通過を許容する貫通部を有するロック板が設けられていることを特徴とする。
本発明によれば、カム軸を利用することで部品の有効利用が図れ、極めて簡単な構成によって、機械的に給紙トレイの不慮の取出しに伴う紙詰まり等の用紙搬送不良の発生を防止できる。
【０００９】
また、本発明の第３の態様に係る用紙トレイの取出しロック装置は、前記シフト手段は用紙が搬送される１サイクルに対応して所定の角度回転する、各部の駆動を司るカム軸であり、該カム軸にはカム軸の回転角度を検知し、用紙が待機ポジションに位置している状態でのみ給紙トレイの取出しスイッチを作動させるロータリーエンコーダが設けられていることを特徴とする。
本発明によれば、カム軸を利用することで部品の有効利用が図れ、検出した角度データに基づいて、より細かな制御が可能になり、電気的に給紙トレイの不慮の取出しに伴う紙詰まり等の用紙搬送不良の発生を防止できる。
【００１０】
また、本発明の第４の態様に係る用紙トレイの取出しロック装置は、前記検知手段は用紙搬送経路の入口と出口に設けられる用紙の通過を検知する位置センサであり、用紙搬送経路の入口に位置する位置センサによって用紙の通過を確認後、用紙搬送経路の出口に位置する位置センサが用紙の通過を確認した場合にのみ用紙トレイの取出しスイッチを作動させるようにしたことを特徴とする。
本発明によれば、用紙搬送経路の途中に位置する用紙の通過を直接検知しているから、先行する用紙の印刷が完了する前に次の用紙が搬送されるような連続給紙が行なわれる場合であっても適用でき、電気的に用紙トレイの不慮の取出しに伴う紙詰まり等の用紙搬送不良の発生を防止できる。
【００１１】
また、本発明の第５の態様に係る用紙トレイの取出しロック装置は、前記記録装置は前面に給紙トレイ及び排紙トレイの取出し口を有し、用紙搬送経路をＵ字を横に倒したような反転ループ状に形成した、テレビラック等に収納して使用する、デッキタイプのインクジェット式記録装置であることを特徴とする。
本発明によれば、ビデオデッキ等、他の機器と一緒に設置され、多くの人が触れることが予想される使用環境においても用紙トレイの不慮の取出しに伴う紙詰まり等の用紙搬送不良の発生を防止できる。
【００１２】
本発明の第６の態様に係る記録装置は、前記第１の態様乃至第５の態様のいずれかの用紙トレイの取出しロック装置を備えて成ることを特徴とする。本発明によれば、記録装置として、前記第１の態様乃至第５の態様のいずれかにおいて得られる作用効果が得られる。
【００１３】
【発明の実施の形態】
以下、本願発明の実施の形態を図面に基づいて説明する。図１は、本発明の給紙トレイの取出しロック装置を適用したインクジェット式記録装置を示す斜視図であり、図２は同上上部ケーシングを取り外した状態を示す平面図、図３は同上正面図である。
【００１４】
図示のインクジェット式記録装置１は、テレビラック等に収納して使用する、いわゆるデッキタイプの角箱状のケーシングを備えた記録装置である。インクジェット式記録装置１は、装置本体３の前面に用紙トレイである給紙トレイ５及び排紙トレイ７の取出し口９、１１が形成された化粧パネル１３を備えている。また、装置本体３の内部には、用紙Ｐの用紙搬送経路を形成する紙送り機構１５、各部のシフトを司るシフト機構１７、実質的に記録を行なう記録ヘッド１９及び記録ヘッド１９を主走査方向（インクジェット式記録装置１の装置前後方向）に往復移動させるキャリッジ２１等が設けられている。
【００１５】
化粧パネル１３は、図１及び図３に示す如く、横に長い矩形平板状の部材で、中央より下方、やや右寄りの位置下側に給紙トレイ５の取出し口９、その上側に排紙トレイ７の取出し口１１を備えている。また、化粧パネル１３の中央より上方、やや左寄りの位置には例えば記録実行状況等を表示する表示パネル２３が設けられている。更に、化粧パネル１３の左端寄り下方には、給紙トレイ５を取り出す場合に使用する取出しボタン２５が設けられており、この他、図示を省略した電源ボタンや各種の動作ないし設定を指示するための操作ボタン等が適宜設けられている。
【００１６】
給紙トレイ５と排紙トレイ７は、ほぼ同様の構成を有しており、ここでは給紙トレイ５を例にとって説明する。給紙トレイ５は、矩形平板状の底板２７に対して、その前後右端の三辺から周壁２９を立ち上げ、更に底板２７の中央からやや前方の位置に仕切壁３１を形成して構成されている。なお、仕切壁３１から後方のスペースが用紙Ｐを収納する収納スペースになっている。因みに、底板２７の左端側に周壁２９を設けていないのは、用紙Ｐの用紙搬送経路の入口になっているからである。
【００１７】
また、給紙トレイ５の底板２７における左端寄りの位置には後述する紙送り機構１５に給紙トレイ５上の用紙Ｐを供給するための、上下に回動する矩形平板状のホッパ３３が設けられている。一方、排紙トレイ７には、ＣＤ−ＲやＤＶＤ−Ｒ等のディスク状記憶媒体のラベル印刷に使用する図示しない付属トレイが着脱自在に取り付けられている。
【００１８】
次に、紙送り機構１５について説明する。図４は紙送り機構の構成を示すインクジェット式記録装置の化粧パネルを取り外した状態の正面図である。用紙Ｐの用紙搬送経路は図４に示す如く、Ｕ字を横に倒したような反転ループ状に形成されている。給紙トレイ５におけるホッパ３３の上方には、給紙トレイ５上の用紙Ｐを１枚ずつ、用紙搬送経路に送り込むピックアップローラ３５が設けられている。
【００１９】
また、ピックアップローラ３５の用紙搬送方向下流側（図４において左方）には、案内ローラ３７が設けられており、該案内ローラ３７の下流には比較的、径の大きな反転送りローラ３９が設けられている。尚、この反転送りローラ３９によって、図４に示す如く、当初左方に向かっていた用紙Ｐは、反転ローラ３９の周胴に沿うように上昇し、反転され、右方に向けて搬送されるようになる。
【００２０】
反転送りローラ３９の下流側（反転送りローラ３９に至るまでと逆で、右方）には、紙送り駆動ローラ４１と紙送り従動ローラ４３とから構成される紙送りローラ４５が設けられている。更に下流側、その直後の位置上方に記録ヘッド１９、下方の対向する位置にプラテン２０がそれぞれ設けられている。記録ヘッド１９は、図４に示す如く、キャリッジ２１によって支持されており、キャリッジ２１は、図２に示す如く、プリンタ本体３の前後方向を主走査方向として往復走行できるように構成されている。
【００２１】
プラテン２０は、記録ヘッド１９によって用紙Ｐに印刷を行なう際に、用紙Ｐを下側から支持する作用を担っている。記録ヘッド１９とプラテン２０上の用紙との距離、即ち、ペーパーギャップは、記録ヘッド１９を支持しているキャリッジ２１を上下に微動させることにより、用紙Ｐの厚さに応じて適宜調節できるようになっている。ペーパーギャップが適正に調整されている状態で、用紙Ｐはプラテン２０上を滑らかに通過しながら、高品質の印刷が行なわれるようになっている。
【００２２】
また、記録ヘッド１９で記録実行された用紙Ｐは、そのままその下流側に位置する排紙トレイ７上に搬出される。シフト機構１７は、ホッパ３３の上下方向への回動を含む各部の駆動を司る部分であって、駆動源である図示しないモータの回転を受けてカム軸４７を回転させ、カム軸４７に取り付けられる図示しないカム等の押圧作用等によって上記ホッパ３３の上下方向の回動等を行なっている。尚、このカム軸４７は、給紙トレイ５上の用紙Ｐが記録実行されて排紙トレイ７上に至るまでの、１サイクルに対応して丁度、１回転するような相関関係になっている。
【００２３】
このようなインクジェット式記録装置１において、本実施の形態では図５乃至図７に示す如く、上記カム軸４７を用紙Ｐの搬送サイクルと相関関係を持つシフト手段として使用して用紙トレイの取出しロック装置４９が設けられている。勿論上記１サイクルに対して１回転に満たない所定の角度回転するという相関関係を持つカム軸４７や他の部材があれば、それをシフト手段とすることを妨げるものではない。
【００２４】
図５は、本発明の用紙トレイの取出しロック装置４９の周辺を拡大して示す正面図、図６は同上ロック状態にある時の斜視図、図７は同上ロック解除状態にある時の斜視図である。用紙トレイの取出しロック装置４９は、上記カム軸４７の前端部に取り付けられるロック板５１によって構成されている。ロック板５１は一例として円板状の部材で、その周縁部の一部が凹陥状に切除された貫通部５３となっている。
【００２５】
貫通部５３は、用紙Ｐが用紙搬送経路途中に位置していない、いわゆる待機ポジションに位置している状態でのみ給紙トレイ５の取出しスイッチ５５と一致し、取出しボタン２５のプッシュロッド２６の通過を許容する部分である。従って、同様の目的を達成するものであれば、ロック板５１を打ち抜いた穴形状のものであってもよいし、スリット形状のものであっても構わない。このようなロック板５１は、用紙Ｐが待機ポジションに位置している状態において、貫通部５３が取出しスイッチ５５と一致するように位置合わせをしてカム軸４７に取り付けられる。
【００２６】
次に、用紙トレイの取出しロック装置４９の作動状態について説明する。用紙Ｐが用紙搬送経路途中に位置している状態では、図６に示す如く、取出しボタン２５のプッシュロッド２６はロック板５１によって取出しスイッチ５５側への進行が妨げられているロック位置にある。従って、誤って取出しボタン２５を押したとしても取出しスイッチ５５を押すことはできず、給紙トレイ５の取出しを行うことはできない。
【００２７】
一方、用紙Ｐが待機ポジションに位置している状態では、図７に示す如く、貫通部５３は取出しスイッチ５５と一致したロック解除位置にある。従って、取出しボタン２５を押すと、プッシュロッド２６は貫通部５３を貫通し、取出しスイッチ５５に至ることができるから、取出しスイッチ５５を押して給紙トレイ５を取り出すことが可能となる。
【００２８】
このようにして、本発明の用紙トレイの取出しロック装置４９及び該用紙トレイの取出しロック装置４９を適用したインクジェット式記録装置１は構成されるわけであるが、本発明は前記実施の形態に限定されるものではなく、例えば以下述べるような他の実施の形態を採用することも可能である。
【００２９】
図８は、カム軸４７にロータリーエンコーダ５７を取り付けた実施の形態を模式的に示す平面図である。カム軸４７にロータリーエンコーダ５７を取り付けた場合には、カム軸４７の回転角度をより細かく検知できるから、図８に示す如く、ロータリーエンコーダ５７によって得られた角度データに基づいて取出しスイッチ５５のスイッチング動作を電気的に遮断したり通電状態にすることが可能となる。
【００３０】
従って、用紙Ｐが待機ポジションに位置しているときには、取出しスイッチ５５を通電状態とし、用紙搬送経路途中に位置しているときには、取出しスイッチ５５のスイッチング動作を電気的に遮断するようにする。因みに取出しスイッチ５５のスイッチング動作が電気的に遮断されている状態では、取出しボタン２５を押しても給紙トレイ５の駆動回路に電流は流れず、給紙トレイ５を取り出すことはできない。
【００３１】
また図８にあわせて示す如く、上記ロータリーエンコーダ５７によって得られた角度データに基づいて、取出しボタン２５のプッシュロッド２６の動きを制御するようにすることも可能である。因みに図示の実施の形態ではプッシュロッド２６に対してダンパ５９を設け、用紙Ｐが待機ポジションに位置している時にはダンパ５９の抵抗を軽くして、取出しスイッチ５５を押せる状態とし、一方、用紙Ｐが用紙搬送経路途中に位置しているときには、ダンパ５９の抵抗を重くして取出しスイッチ５５を押せない状態にしている。
【００３２】
図９は、用紙搬送経路の入口と出口に用紙Ｐの通過を検知する位置センサ６１、６３を設けた実施の形態を示す正面図である。この場合には用紙搬送経路の入口に位置する位置センサ６１によって用紙Ｐの通過を確認後、用紙搬送経路の出口に位置する位置センサ６３が用紙Ｐの通過を確認した場合にのみ給紙トレイ５の取出しスイッチ５５を作動させるようにする。この場合にも図８に示す実施の形態と同様、取出しスイッチ５５自体のスイッチング動作を制御するか、取出しボタン２５におけるプッシュロッド２６の動きを制御するようにする。
【図面の簡単な説明】
【図１】本発明を適用したインクジェット式記録装置を示す斜視図。
【図２】同上平面図。
【図３】同上正面図。
【図４】紙送り機構を示す正面図。
【図５】本発明の給紙トレイの取出しロック装置を示す正面図。
【図６】同上ロック状態を示す斜視図。
【図７】同上ロック解除状態を示す斜視図。
【図８】本発明の他の実施の形態を示す平面図。
【図９】本発明の更に他の実施の形態を示す正面図。
【符号の説明】
１　インクジェットプリンタ、　３　プリンタ本体、　５　給紙トレイ、　７排紙トレイ、　９　取出し口（給紙トレイの）、１１　取出し口（排紙トレイの）、１３　化粧パネル、１５　紙送り機構、１７　シフト機構、１９　印刷ヘッド、２０　プラテン、２１　キャリッジ、２３　表示パネル、２５　取出しボタン、２６　プッシュロッド、２７　底板、２９　周壁、３１　仕切壁、
３３　ホッパ、３５　ピックアップローラ、３７　案内ローラ、３９　反転送りローラ、４１　紙送り駆動ローラ、４３　紙送り従動ローラ、４５　紙送りローラ、４７　カム軸、４９　給紙トレイの取出しロック装置、５１　ロック板、５３　貫通部、５５　取出しスイッチ、５７　ロータリーエンコーダ、５９　ダンパ、６１　位置センサ（用紙搬送経路入口の）、６３　位置センサ（用紙搬送経路出口の）、　Ｐ　用紙
【図１】
2004091087.tif 000003
【図２】
2004091087.tif 000004
【図３】
2004091087.tif 000005
【図４】
2004091087.tif 000006
【図５】
2004091087.tif 000007
【図６】
2004091087.tif 000008
【図７】
2004091087.tif 000009
【図８】
2004091087.tif 000010
【図９】
2004091087.tif 000011